(57)【要約】【課題】複数の後処理を行う場合であっても、ユーザの作業負担を軽減し、作業効率を向上させる。【解決手段】画像形成システム１は、画像形成後の用紙に後処理を行う第１後処理装置３００、この第１後処理装置３００を経由した用紙に後処理を行う第２後処理装置５００、第１後処理装置３００へ用紙を搬送し、当該搬送する用紙の表裏反転が可能な第１反転装置２００、第２後処理装置５００へ用紙を搬送し、当該搬送する用紙の表裏反転が可能な第２反転装置４００、画像形成に係る指示に基づいて第１反転装置２００及び第２反転装置４００を制御するＣＰＵ１１０を有する。【選択図】図２
2009086600.tif 000002
【特許請求の範囲】
【請求項１】
画像形成に係る指示を行う指示部と、
前記指示部による指示に基づいて用紙に画像形成する画像形成部と、
前記画像形成部による画像形成後の用紙に前記指示部による指示に基づいて第１の後処理を行う第１後処理装置と、
前記第１後処理装置を経由した用紙に前記指示部による指示に基づいた第２の後処理を行う第２後処理装置と、
前記画像形成部から前記第１後処理装置へ用紙を搬送し、当該搬送する用紙の表裏反転を行う反転機構を有する第１反転装置と、
前記第１後処理装置から前記第２後処理装置へ用紙を搬送し、当該搬送する用紙の表裏反転を行う反転機構を有する第２反転装置と、
前記指示部による指示内容に基づいて、前記第１反転装置及び前記第２反転装置における用紙の表裏反転を制御する制御部と、
を有する画像形成システム。
【請求項２】
前記第１後処理装置は前記画像形成後の用紙の搬送方向先端側に前記第１の後処理を行い、且つ、前記第２後処理装置は用紙の搬送方向後端側に前記第２の後処理を行う請求項１に記載の画像形成システム。
【請求項３】
前記第１後処理装置は前記画像形成後の用紙の搬送方向後端側に前記第１の後処理を行い、且つ、前記第２後処理装置は用紙の搬送方向先端側に前記第２の後処理を行う請求項１に記載の画像形成システム。
【請求項４】
前記指示部は、前記第１後処理装置及び／又は第２後処理装置で実行すべき後処理の種別を指示し、
前記制御部は、前記指示部により指示された後処理の種別に基づいて前記第１反転装置及び／又は前記第２反転装置における用紙の反転を制御する請求項１〜３のいずれか一項に記載の画像形成システム。
【請求項５】
前記指示部は、前記画像形成部における用紙の両面又は片面への画像形成を指示し、
前記制御部は、前記指示部により指示された両面又は片面への画像形成指示に基づいて前記第１反転装置及び／又は前記第２反転装置における用紙の反転を制御する請求項１〜４のいずれか一項に記載の画像形成システム。
【請求項６】
前記制御部は、前記指示部により用紙の両面に画像形成する場合、当該用紙の表裏面への画像形成順に基づいて前記第１反転装置及び／又は前記第２反転装置における用紙の反転を制御する請求項５に記載の画像形成システム。
【請求項７】
前記指示部は、機外へ用紙を排出する際の排紙面を指示し、
前記制御部は、前記指示部により指示された排紙面に基づいて前記第１反転装置及び／又は前記第２反転装置における用紙の反転を制御する請求項１〜６のいずれか一項に記載の画像形成システム。
【請求項８】
前記指示部は、画像形成すべき用紙の種別を指示し、
前記画像形成部は、前記指示部により指示された種別の用紙へ画像形成し、
前記制御部は、前記指示部により指示された用紙の種別に基づいて前記第１反転装置及び／又は前記第２反転装置における用紙の反転を制御する請求項１〜７のいずれか一項に記載の画像形成システム。
【請求項９】
前記指示部は、前記用紙の種別としてタブの有無を指示し、
前記制御部は、前記指示部により指示されたタブの有無に基づいて前記第１反転装置及び／又は前記第２反転装置における用紙の反転を制御する請求項８に記載の画像形成システム。
【請求項１０】
前記第１反転装置及び／又は前記第２反転装置は、複数枚の用紙を滞留させる用紙ストッパを有し、当該用紙ストッパにより滞留された複数枚の用紙を反転する請求項１〜９のいずれか一項に記載の画像形成システム。
【請求項１１】
前記制御部は、前記第１反転装置及び／又は前記第２反転装置における前記用紙ストッパの有無に基づいて前記第１反転装置及び／又は前記第２反転装置における用紙の反転を制御する請求項１０に記載の画像形成システム。
【請求項１２】
画像形成に係る指示を行う指示部と、
前記指示部による指示に基づいて用紙に画像形成する画像形成部と、
前記画像形成部による画像形成後の用紙に前記指示部による指示に基づいて第１の後処理を行う第１後処理部と、
前記第１後処理部を経由した用紙に前記指示部による指示に基づいた第２の後処理を行う第２後処理部と、
前記画像形成部から前記第１後処理部へ用紙を搬送し、当該搬送する用紙の表裏反転を行う反転機構を有する第１反転部と、
前記第１後処理部から前記第２後処理部へ用紙を搬送し、当該搬送する用紙の表裏反転を行う反転機構を有する第２反転部と、
前記指示部による指示内容に基づいて、前記第１反転部及び前記第２反転部における用紙の表裏反転を制御する制御部と、
を備える画像形成装置。
【発明の詳細な説明】
【技術分野】
【０００１】
本発明は、画像形成システム、画像形成装置に関する。
【背景技術】
【０００２】
従来、画像形成後の用紙にパンチ処理やステイプル処理等の後処理を行う画像形成装置や画像形成システムがある。この画像形成装置や画像形成システムにおいては、用紙上の後処理位置を変更するため、画像形成後に搬送される用紙の表裏を反転させる反転機構を有するものが知られている。例えば、特許文献１には、用紙反転機構を有する画像形成装置が開示されている。
【０００３】
また、上述した従来の画像形成装置や画像形成システムにおいては、複数の後処理を選択して行うものがある。例えば、特許文献２には、２種類の後処理を選択可能な画像形成システムが開示されている。
【特許文献１】特開平１１−２６８８５５号公報
【特許文献２】特開平１１−２６８８８２号公報
【発明の開示】
【発明が解決しようとする課題】
【０００４】
しかしながら、上述した従来技術は、各後処理に対応した複数の反転機構を有するものではなく、また、２種類の後処理のいずれかを選択して行うため、同じ用紙に対して２種類の後処理を行うことができなかった。
【０００５】
このように同じ用紙に対して２種類の後処理を行うことができないため、従来技術では、１枚の用紙ないしは１部の用紙束に対して２種類の後処理を実施する場合、一方の後処理を実施した後、もう一方の後処理を画像形成装置やシステムに連結されていない別の処理機で実施しなければならず、ユーザの負担が大きいものであった。
【０００６】
本発明の課題は、上記従来技術の問題に鑑みてなされたものであって、複数の後処理を行う場合であっても、ユーザの作業負担を軽減し、作業効率を向上させる画像形成装置又は画像形成システムを提供することである。
【課題を解決するための手段】
【０００７】
上記課題を解決するために、請求項１に記載の発明は、
画像形成に係る指示を行う指示部と、
前記指示部による指示に基づいて用紙に画像形成する画像形成部と、
前記画像形成部による画像形成後の用紙に前記指示部による指示に基づいて第１の後処理を行う第１後処理装置と、
前記第１後処理装置を経由した用紙に前記指示部による指示に基づいた第２の後処理を行う第２後処理装置と、
前記画像形成部から前記第１後処理装置へ用紙を搬送し、当該搬送する用紙の表裏反転を行う反転機構を有する第１反転装置と、
前記第１後処理装置から前記第２後処理装置へ用紙を搬送し、当該搬送する用紙の表裏反転を行う反転機構を有する第２反転装置と、
前記指示部による指示内容に基づいて、前記第１反転装置及び前記第２反転装置における用紙の表裏反転を制御する制御部と、
を有する。
【０００８】
請求項２に記載の発明は、請求項１に記載の発明において、前記第１後処理装置は前記画像形成後の用紙の搬送方向先端側に前記第１の後処理を行い、且つ、前記第２後処理装置は用紙の搬送方向後端側に前記第２の後処理を行う。
【０００９】
請求項３に記載の発明は、請求項１に記載の発明において、前記第１後処理装置は前記画像形成後の用紙の搬送方向後端側に前記第１の後処理を行い、且つ、前記第２後処理装置は用紙の搬送方向先端側に前記第２の後処理を行う。
【００１０】
請求項４に記載の発明は、請求項１〜３のいずれか一項に記載の発明において、前記指示部は、前記第１後処理装置及び／又は第２後処理装置で実行すべき後処理の種別を指示し、
前記制御部は、前記指示部により指示された後処理の種別に基づいて前記第１反転装置及び／又は前記第２反転装置における用紙の反転を制御する。
【００１１】
請求項５に記載の発明は、請求項１〜４のいずれか一項に記載の発明において、前記指示部は、前記画像形成部における用紙の両面又は片面への画像形成を指示し、
前記制御部は、前記指示部により指示された両面又は片面への画像形成指示に基づいて前記第１反転装置及び／又は前記第２反転装置における用紙の反転を制御する。
【００１２】
請求項６に記載の発明は、請求項５に記載の発明において、前記制御部は、前記指示部により用紙の両面に画像形成する場合、当該用紙の表裏面への画像形成順に基づいて前記第１反転装置及び／又は前記第２反転装置における用紙の反転を制御する。
【００１３】
請求項７に記載の発明は、請求項１〜６のいずれか一項に記載の発明において、前記指示部は、機外へ用紙を排出する際の排紙面を指示し、
前記制御部は、前記指示部により指示された排紙面に基づいて前記第１反転装置及び／又は前記第２反転装置における用紙の反転を制御する。
【００１４】
請求項８に記載の発明は、請求項１〜７のいずれか一項に記載の発明において、前記指示部は、画像形成すべき用紙の種別を指示し、
前記画像形成部は、前記指示部により指示された種別の用紙へ画像形成し、
前記制御部は、前記指示部により指示された用紙の種別に基づいて前記第１反転装置及び／又は前記第２反転装置における用紙の反転を制御する。
【００１５】
請求項９に記載の発明は、請求項８に記載の発明において、前記指示部は、前記用紙の種別としてタブの有無を指示し、
前記制御部は、前記指示部により指示されたタブの有無に基づいて前記第１反転装置及び／又は前記第２反転装置における用紙の反転を制御する。
【００１６】
請求項１０に記載の発明は、請求項１〜９のいずれか一項に記載の発明において、前記第１反転装置及び／又は前記第２反転装置は、複数枚の用紙を滞留させる用紙ストッパを有し、当該用紙ストッパにより滞留された複数枚の用紙を反転する。
【００１７】
請求項１１に記載の発明は、請求項１０に記載の発明において、前記制御部は、前記第１反転装置及び／又は前記第２反転装置における前記用紙ストッパの有無に基づいて前記第１反転装置及び／又は前記第２反転装置における用紙の反転を制御する。
【００１８】
請求項１２に記載の発明は、画像形成に係る指示を行う指示部と、
前記指示部による指示に基づいて用紙に画像形成する画像形成部と、
前記画像形成部による画像形成後の用紙に前記指示部による指示に基づいて第１の後処理を行う第１後処理部と、
前記第１後処理部を経由した用紙に前記指示部による指示に基づいた第２の後処理を行う第２後処理部と、
前記画像形成部から前記第１後処理部へ用紙を搬送し、当該搬送する用紙の表裏反転を行う反転機構を有する第１反転部と、
前記第１後処理部から前記第２後処理部へ用紙を搬送し、当該搬送する用紙の表裏反転を行う反転機構を有する第２反転部と、
前記指示部による指示内容に基づいて、前記第１反転部及び前記第２反転部における用紙の表裏反転を制御する制御部と、
を備える。
【発明の効果】
【００１９】
請求項１、１２に記載の発明によれば、指示部による画像形成に係る指示に基づいて、第１後処理装置へ用紙を搬送する際の当該用紙の表裏反転を行う第１反転装置、及び、第２後処理装置へ用紙を搬送する際の当該用紙の表裏反転を行う第２反転装置における用紙の表裏反転を制御することができ、同時に第１、第２後処理装置による後処理を行うことができるため、複数の後処理を行う場合であっても、ユーザの作業負担を軽減し、作業効率が向上する。
【００２０】
請求項２、３に記載の発明によれば、第１後処理装置と第２後処理装置とで、用紙に対して搬送方向の先端側の逆側に各々後処理を行う構成であっても、最終排出物としての用紙における同一の端部側に第１と第２の後処理を行うことができる。
【００２１】
請求項４に記載の発明によれば、指示部により指示された後処理の種別に基づいて第１反転装置及び／又は第２反転装置における用紙の反転を制御することができる。
【００２２】
請求項５に記載の発明によれば、指示部により指示された両面又は片面への画像形成指示に基づいて第１反転装置及び／又は第２反転装置における用紙の反転を制御することができる。
【００２３】
請求項６に記載の発明によれば、指示部により用紙の両面に画像形成する場合、当該用紙の表裏面への画像形成順に基づいて第１反転装置及び／又は第２反転装置における用紙の反転を制御することができる。
【００２４】
請求項７に記載の発明によれば、指示部により指示された機外へ用紙を排出する際の排紙面に基づいて第１反転装置及び／又は第２反転装置における用紙の反転を制御することができる。
【００２５】
請求項８に記載の発明によれば、指示部により指示された用紙の種別に基づいて第１反転装置及び／又は第２反転装置における用紙の反転を制御することができる。
【００２６】
請求項９に記載の発明によれば、指示部により指示された用紙におけるタブの有無に基づいて第１反転装置及び／又は第２反転装置における用紙の反転を制御することができる。
【００２７】
請求項１０に記載の発明によれば、第１反転装置及び／又は第２反転装置は、用紙ストッパにより滞留された複数枚の用紙を反転することができる。
【００２８】
請求項１１に記載の発明によれば、第１反転装置及び／又は第２反転装置における用紙ストッパの有無に基づいて第１反転装置及び／又は第２反転装置における用紙の反転を制御することができる。
【発明を実施するための最良の形態】
【００２９】
以下、この発明の実施の形態について図を参照して説明するが、この発明は以下の実施の形態に限定されない。また、この発明の実施の形態は発明の最も好ましい形態を示すものであり、発明の範囲を限定するものではない。
【００３０】
先ず、本実施の形態に係る画像形成システムの構成について説明する。図１に示すように、画像形成システム１は、画像形成装置本体１００、第１反転装置２００、第１後処理装置３００、第２反転装置４００及び第２後処理装置５００を有する構成である。
【００３１】
画像形成装置本体１００は、収納部１２１、１２２、画像形成部１３０、画像読取部１４０、自動原稿搬送部１４１、表示／操作部１５０、排紙ローラ１９１、排紙センサ１９２、排紙口１９３等を備える。また、画像形成装置本体１００には、用紙の搬送路として、収納部１２１、１２２から画像形成部１３０に給紙を行う搬送路１０１、画像形成部１３０から排紙ローラ１９１を経て排紙口１９３に至る搬送路１０２、用紙の表裏反転を行う搬送路１０３が設けられている。
【００３２】
収納部１２１、１２２は、紙種、用紙サイズ等の用紙種別毎に、同一の種別であって、画像形成前の用紙を収納する。この収納部１２１、１２２に収納される用紙の種別としては、具体的には、用紙の長手方向の一辺にタブを有するタブ付き用紙、特にタブなどがない普通用紙、裏紙、再生紙、上質紙、厚紙などがある。
【００３３】
画像形成部１３０は、画像データに基づいて露光部（図示せず）から発せられるレーザービームにより感光体１３１を露光走査し、静電潜像を形成する。次いで、現像部（図示せず）によりトナーを感光体１３１に吸着させ、転写部（図示せず）においてトナーを用紙に転写する。そして、定着部１３２において用紙にトナーを熱定着させることにより画像を形成する。上述したように、画像形成部１３０は、いわゆる電子写真プロセスにより用紙に画像形成を行う構成を例示したが、インクジェット方式、熱転写方式などにより用紙に画像形成を行ってもよい。
【００３４】
画像読取部１４０は、読み取りトレイなどに載置された原稿を画像データとして読み取る機能部である。具体的には、読み取り台（図示せず）に載置された原稿に光源からの光を照射し、当該原稿から反射した反射光をＣＣＤ（Charge  Coupled  Device）により読み取る。自動原稿搬送部１４１を使用する場合には、当該自動原稿搬送部１４１にセットされた原稿束から原稿が１枚ずつ画像読取部１４０の読み取り台に搬送され、画像が読み取られる。
【００３５】
指示部としての表示／操作部１５０は、数字キーやスタートキー、画像形成に関する各種設定を行うための機能キー等の各種操作キーを備える。また、表示／操作部１５０は、ＬＣＤ（Liquid  Crystal  Display）等の表示画面と一体的に形成されたタッチパネルを備える。タッチパネルでは、ユーザの指先やタッチペン等により当接された位置を検出し、ユーザからの操作指示を受け付ける。
【００３６】
画像形成システム１では、ユーザが表示／操作部１５０の操作キーやタッチパネルを操作することで、画像形成システム１の画像形成に係る指示や各種設定を行うことができる。また、画像形成システム１では、表示／操作部１５０に画像形成システム１の動作状況や各種設定状況を表示することで、画像形成システム１の動作状態等をユーザに知らしめることができる。
【００３７】
この表示／操作部１５０による画像形成に係る指示とは、用紙の両面又は片面への画像形成、画像形成すべき用紙種別（サイズ、タブ付きの有無など）、画像形成後の用紙に行う後処理の種別（ステイプル、パンチ穴開けなど）、機外へ用紙を排出する際の排紙面などを含む。
【００３８】
ここでいう排紙面とは、機外に排出されてトレイに載置された用紙の上面のことである。例えば、用紙上に表面として画像形成された面を表にしてトレイに載置する場合の排紙面はフェイスアップ（FaceUp）である。また、用紙上に表面として画像形成された面を裏にしてトレイに載置する場合の排紙面はフェイスダウン（FaceDown）である。
【００３９】
排紙ローラ１９１は、モータ等の駆動源（図示しない）により回転駆動する。排紙ローラ１９１は、回転駆動することで、画像形成が行われた用紙を排紙口１９３に搬送する。排紙センサ１９２は、用紙の有無を検知するセンサである。排紙センサ１９２は、排紙口１９３付近に設置されており、当該排紙口１９３から排出される用紙について、その用紙の搬送方向の先端側及び搬送方向の後端側の位置検出を行う。
【００４０】
第１反転装置２００は、画像形成装置本体１００と第１後処理装置３００との間に設置される。第１反転装置２００は、用紙を搬送するため、モータ等の駆動源（図示しない）に接続された搬送ローラ２０１〜２０７を有している。第１反転装置２００は、この搬送ローラ２０１〜２０７により、画像形成装置本体１００から排出された画像形成後の用紙を受け取り、第１後処理装置３００へ用紙を搬送する。
【００４１】
第１反転装置２００における用紙の搬送経路としては、搬送ローラ２０１、２０２、２０３の順に用紙が搬送される搬送路Ｒ２０１と、搬送ローラ２０１、２０４、２０５、２０６、２０７、２０３の順に用紙が搬送される搬送路Ｒ２０２と、がある。
【００４２】
搬送路Ｒ２０１は、画像形成装置本体１００から第１後処理装置３００まで表裏反転を行うことなく直に用紙を搬送する経路である。このように、第１反転装置２００は、この搬送路Ｒ２０１を介して用紙を搬送することで、画像形成装置本体１００から排出された用紙の表裏状態を反転することなく第１後処理装置３００へ用紙を搬送することができる。
【００４３】
搬送路Ｒ２０２は、画像形成装置本体１００から第１後処理装置３００に用紙を搬送する際に、搬送方向の先端側から用紙を一旦引き入れ、その後端側から引き出す時に用紙の表裏反転を行う反転機構としての経路である。このように、第１反転装置２００は、この用紙の反転機構としての搬送路Ｒ２０２を介して用紙を搬送することで、画像形成装置本体１００から排出された用紙の表裏状態を反転して第１後処理装置３００へ用紙を搬送することができる。
【００４４】
第１後処理装置３００は、画像形成装置本体１００と第１反転装置２００を介して設置され、画像形成装置本体１００による画像形成後の用紙に後処理を行う。また、第１後処理装置３００には、第２反転装置４００が続いて設置されており、後処理後の用紙は第２反転装置４００へ排出される。
【００４５】
第１後処理装置３００は、用紙を搬送するため、モータ等の駆動源（図示しない）に接続された搬送ローラ３０１〜３０４、搬送ローラ３１１〜３１９、搬送ローラ３２１、３２２と、後処理部３２０と、サブトレイ３３１と、を有している。後処理部３２０は、搬送される用紙の当該搬送方向先端側にパンチ穴開け等の後処理（第１の後処理）を行う。サブトレイ３３１は、外部に排出した用紙を集積して載置するトレイである。
【００４６】
第１後処理装置３００における用紙の搬送経路としては、搬送ローラ３０１、３０２、３０３、３０４の順に用紙が搬送される搬送路Ｒ３０１と、搬送ローラ３０１、３１１〜３１９、３０４の順に用紙が搬送される搬送路Ｒ３０２と、搬送ローラ３０１、３２１、３２２の順に用紙が搬送される搬送路Ｒ３０３と、がある。
【００４７】
搬送路Ｒ３０１は、第１反転装置２００を介して画像形成装置本体１００から搬送された用紙を後処理を行うことなく、第１後処理装置３００に続いて設置される第２反転装置４００へ排出する経路である。このように、第１後処理装置３００は、搬送路Ｒ３０１を介して用紙を搬送することで、用紙に対して後処理を行うことなく第２反転装置４００へ排出することができる。
【００４８】
搬送路Ｒ３０２は、その経路途上に後処理部３２０が設けられており、第１反転装置２００を介して画像形成装置本体１００から搬送された用紙に前述した第１の後処理を実施することが可能である。このように、第１後処理装置３００は、搬送路Ｒ３０２を介して用紙を搬送することで、後処理部３２０により当該用紙の搬送方向先端側に第１の後処理を行って、第２反転装置４００へ用紙を排出することができる。
【００４９】
搬送路Ｒ３０３は、第１反転装置２００を介して画像形成装置本体１００から搬送された用紙をそのままサブトレイ３３１へ排出する経路である。このように、第１後処理装置３００は、搬送路Ｒ３０３を介して用紙を搬送することで、画像形成装置本体１００による画像形成後の用紙を外部に排出し、サブトレイ３３１へ用紙を集積することができる。
【００５０】
第２反転装置４００は、第１後処理装置３００と第２後処理装置５００との間に設置される。第２反転装置４００は、用紙を搬送するため、モータ等の駆動源（図示しない）に接続された搬送ローラ４０１〜４０６、複数枚の用紙を滞留させる反転ストッパ４２１を有している。第２反転装置４００は、この搬送ローラ４０１〜４０６により、第１後処理装置３００から排出された用紙を受け取り、第２後処理装置５００へ搬送する。
【００５１】
反転ストッパ４２１は、搬送される用紙を順次重ねてストックし、複数枚の用紙を搬送順に滞留させる。第２反転装置４００は、この反転ストッパ４２１によって複数枚の用紙を滞留した場合、当該複数枚の用紙束を第２後処理装置５００へ搬送する。
【００５２】
第２反転装置４００における用紙の搬送経路としては、搬送ローラ４０１、４０２、４０３の順に用紙が搬送される搬送路Ｒ４０１と、搬送ローラ４０１、４０４、４０５、４０６、４０３の順に用紙が搬送される搬送路Ｒ４０２と、がある。
【００５３】
搬送路Ｒ４０１は、第１後処理装置３００から第２後処理装置５００まで表裏反転を行うことなく直に用紙を搬送する経路である。このように、第２反転装置４００は、この搬送路Ｒ４０１を介して用紙を搬送することで、第１後処理装置３００から排出された用紙の表裏状態を反転することなく第２後処理装置５００へ用紙を搬送することができる。
【００５４】
搬送路Ｒ４０２は、第１後処理装置３００から第２後処理装置５００に用紙を搬送する際に、搬送方向の先端側から用紙を一旦引き入れ、その後端側から引き出す時に用紙の表裏反転を行う反転機構としての経路である。このように、第２反転装置４００は、この用紙の反転機構としての搬送路Ｒ４０２を介して用紙を搬送することで、第１後処理装置３００から排出された用紙の表裏状態を反転して第２後処理装置５００へ用紙を搬送することができる。
【００５５】
また、搬送路Ｒ４０２は、反転ストッパ４２１を有しており、搬送方向の先端側から用紙を一旦引き入れた際に順次用紙をストック可能となっている。このように、第２反転装置４００は、この搬送路Ｒ４０２を介して用紙を搬送し、反転ストッパ４２１により複数枚の用紙を滞留させた場合、当該複数枚の用紙束の表裏状態を反転して第２後処理装置５００へ搬送することができる。
【００５６】
第２後処理装置５００は、第１後処理装置３００と第２反転装置４００を介して設置され、第１後処理装置３００を経由した用紙に後処理を行う。第２後処理装置５００は、用紙を搬送するため、モータ等の駆動源（図示しない）に接続された搬送ローラ５０１〜５０６、搬送ローラ５１１〜５１３と、後処理部５２０と、ストッパ５２１と、外部に排出した用紙を集積して載置するメイントレイ５３１及びサブトレイ５３２と、を有している。
【００５７】
後処理部５２０は、搬送される用紙の当該搬送方向後端側にステイプル等の後処理（第２の後処理）を行う。ストッパ５２１は、反転ストッパ４２１と同様に搬送される用紙を搬送順に滞留させる。第２後処理装置５００は、このストッパ５２１によって複数枚の用紙を滞留した場合、当該複数枚の用紙束に対して後処理部５２０による第２の後処理を実施することができる。
【００５８】
第２後処理装置５００における用紙の搬送経路としては、メイントレイ５３１へ用紙を排出する経路であり、搬送ローラ５０１〜５０６の順に用紙が搬送される搬送路Ｒ５０１、Ｒ５０２、Ｒ５０３と、サブトレイ５３２へ用紙を排出する経路であり、搬送ローラ５０１、５１１〜５１３の順に用紙が搬送される搬送路Ｒ５０４と、がある。搬送路Ｒ５０２には、後処理部５２０、ストッパ５２１が設けられている。
【００５９】
メイントレイ５３１へ用紙を排出する経路は、搬送路Ｒ５０２を経由するため、第２反転装置４００を介して第１後処理装置３００から搬送された用紙に前述した第２の後処理を実施することが可能である。このように、第２後処理装置５００は、搬送路Ｒ５０１、Ｒ５０２、Ｒ５０３を介して用紙を搬送することで、後処理部５２０により当該用紙の搬送方向後端側に第２の後処理を行って、メイントレイ５３１へ用紙を排出することができる。
【００６０】
サブトレイ５３２へ用紙を排出する搬送路Ｒ５０４は、第２反転装置４００を介して第１後処理装置３００から搬送された用紙に後処理を行うことなく排出する。このように、第２後処理装置５００は、搬送路Ｒ５０４を介して用紙を搬送することで、用紙に対して後処理を行うことなく機外へ排出することができる。
【００６１】
なお、画像形成システム１における各装置の接続レイアウトについては、特に上述したものに限定しない。例えば、第１反転装置２００と第２反転装置４００はその設置位置を入れ替えてもよい。すなわち、画像形成システム１は、第１反転装置、第２反転装置のいずれが反転ストッパを有する構成であってもよい。また、画像形成システム１は、第１反転装置、第２反転装置の両方が反転ストッパを有する構成でもよい。
【００６２】
また、画像形成システム１における後処理の構成に関しては、第１後処理装置で用紙の搬送方向後端側に後処理を行い、第２後処理装置で用紙の搬送方向先端側に後処理を行う構成であってもよい。すなわち、画像形成システム１は、第１後処理装置３００と第２後処理装置５００の設置位置を入れ替えるものであってよい。
【００６３】
また、画像形成システム１は、複数の装置が接続されたシステム構成であるが、当該複数の装置の各々を一つのユニットとして有する一つの画像形成装置であってよい。
【００６４】
ここで、画像形成システム１の機能的構成について説明する。図２に示すように、画像形成装置本体１００と第１反転装置２００は通信線Ｌ１により互いに通信可能に接続される。また、第１反転装置２００と第１後処理装置３００は通信線Ｌ２により互いに通信可能に接続される。また、第１後処理装置３００と第２反転装置４００は通信線Ｌ３により互いに通信可能に接続される。また、第２反転装置４００と第２後処理装置５００は通信線Ｌ４により互いに通信可能に接続される。
【００６５】
すなわち、画像形成システム１は、画像形成装置本体１００、第１反転装置２００、第１後処理装置３００、第２反転装置４００、第２後処理装置５００が通信線Ｌ１、Ｌ２、Ｌ３、Ｌ４により従属的に接続される構成である。なお、画像形成システム１の接続レイアウトについては、例えばスター型に接続される構成であってもよく、特に限定しない。また、画像形成システム１の通信は、通信線Ｌ１、通信線Ｌ２、Ｌ３、Ｌ４による有線通信以外に、無線や赤外線を用いた通信であってよい。
【００６６】
画像形成装置本体１００は、ＣＰＵ１１０、ＲＡＭ１１１、ＲＯＭ１１２、搬送部１２０、画像形成部１３０、画像読取部１４０、表示／操作部１５０、排紙部１９０を備える構成である。画像形成装置本体１００の各部はバス１６０を介して接続される。
【００６７】
ＣＰＵ１１０（Central  Processing  Unit）は、画像形成装置本体１００の各部を統括制御する。ＣＰＵ１１０は、ＲＯＭ１１２（Read  Only  Memory）に記憶されている各種プログラムデータの中から指定されたプログラムデータをＲＡＭ１１１（Random  Access Memory）に展開し、ＲＡＭ１１１に展開されたプログラムデータとの協働で、各種処理を実行する。
【００６８】
具体的には、ＣＰＵ１１０は、表示／操作部１５０から入力された画像形成に係る操作指示に基づいて画像形成部１３０による画像形成を制御する。また、ＣＰＵ１１０は、表示／操作部１５０から入力された画像形成に係る操作指示に基づいて、画像形成装置本体１００と接続する各装置へ制御信号を出力することで、画像形成部１３０により画像形成された用紙の反転制御（詳細は後述する）や後処理の有無などを制御する。
【００６９】
搬送部１２０は、ＣＰＵ１１０の制御の下で駆動するモータなどの駆動源（図示せず）を有し、前述した搬送路１０１、１０２、１０３により用紙を搬送する。通信部１８０は、通信線Ｌ１を介してパラレル通信又はシリアル通信を行う通信インターフェイスである。排紙部１９０は、前述した排紙ローラ１９１、排紙センサ１９２、排紙口１９３を有し、画像形成部１３０による画像形成後の用紙を機外に排出する。
【００７０】
第１反転装置２００は、ＣＰＵ２５１、ＲＡＭ２５２、ＲＯＭ２５３、搬送部２１０、反転部２２０、排紙部２３０、通信部２８０を備える構成である。この第１反転装置２００の各部はバス２６０を介して接続される。
【００７１】
ＣＰＵ２５１は、第１反転装置２００の各部を統括制御する。ＣＰＵ２５１は、ＲＯＭ２５３に記憶されている各種プログラムデータの中から指定されたプログラムデータをＲＡＭ２５２に展開し、当該ＲＡＭ２５２に展開されたプログラムデータとの協働で、各種処理を実行する。
【００７２】
具体的には、ＣＰＵ２５１は、画像形成装置本体１００からの制御信号に基づいて、画像形成装置本体１００から搬送された画像形成後の用紙を第１後処理装置３００へ搬送する際の制御を行う。また、ＣＰＵ２５１は、この用紙を第１後処理装置３００へ搬送する際に、画像形成装置本体１００からの制御信号に基づいて用紙の反転を制御する。
【００７３】
また、ＣＰＵ２５１は、画像形成装置本体１００からの制御信号に基づいて、ＲＯＭ２５３に予め格納されている第１反転装置２００に係る情報を読み出して画像形成装置本体１００へ送信する。この第１反転装置２００に係る情報とは、反転部２２０における反転ストッパの有無などの自装置固有の設定情報や、画像形成システム１における第１反転装置２００の設置位置（画像形成装置本体１００から何台目に設置される）などの位置情報である。
【００７４】
搬送部２１０は、前述した搬送路Ｒ２０１であり、ＣＰＵ２５１の制御の下、画像形成装置本体１００から排出された画像形成後の用紙を第１後処理装置３００へ搬送する。反転部２２０は、前述した搬送路Ｒ２０２であり、ＣＰＵ２５１の制御の下、画像形成装置本体１００から排出された画像形成後の用紙を反転して第１後処理装置３００へ搬送する。排紙部２３０は、前述した第１後処理装置３００へ用紙を排出する搬送ローラ２０３であり、ＣＰＵ２５１の制御の下、画像形成装置本体１００と自装置を介して接続する第１後処理装置３００へ用紙を排出する。
【００７５】
第１後処理装置３００は、ＣＰＵ３５１、ＲＡＭ３５２、ＲＯＭ３５３、搬送部３１０、後処理部３２０、排紙部３３０、通信部３８０を備える構成である。この第１後処理装置３００の各部はバス３６０を介して接続される。
【００７６】
ＣＰＵ３５１は、第１後処理装置３００の各部を統括制御する。ＣＰＵ３５１は、ＲＯＭ３５３に記憶されている各種プログラムデータの中から指定されたプログラムデータをＲＡＭ３５２に展開し、当該ＲＡＭ３５２に展開されたプログラムデータとの協働で、各種処理を実行する。
【００７７】
具体的には、ＣＰＵ３５１は、画像形成装置本体１００からの制御信号に基づいて、第１反転装置２００を介して画像形成装置本体１００から搬送された画像形成後の用紙への後処理を制御する。また、ＣＰＵ３５１は、画像形成装置本体１００からの制御信号に基づいて、ＲＯＭ３５３に予め格納されている第１後処理装置３００に係る情報を読み出して画像形成装置本体１００へ送信する。
【００７８】
この第１後処理装置３００に係る情報とは、後処理部３２０において実行可能な後処理の種別（ステイプル、パンチ穴開け…）や用紙に対する後処理の実行位置（搬送方向先端側／後端側）などの自装置固有の設定情報や、画像形成システム１における第１後処理装置３００の設置位置（画像形成装置本体１００から何台目に設置される）などの位置情報である。なお、本実施の形態では、第１後処理装置３００は搬送方向先端側に後処理を施すものとして説明する。
【００７９】
搬送部３１０は、前述した搬送路Ｒ３０１、Ｒ３０２、Ｒ３０３であり、ＣＰＵ３５１の制御の下、用紙を搬送する。排紙部３３０は、前述したサブトレイ３３１や第２反転装置４００へ用紙を排出する搬送ローラ３０４であり、ＣＰＵ３５１の制御の下、機外への用紙の排出や自装置と接続する第２反転装置４００への用紙の排出を行う。
【００８０】
第２反転装置４００は、ＣＰＵ４５１、ＲＡＭ４５２、ＲＯＭ４５３、搬送部４１０、反転部４２０、排紙部４３０、通信部４８０を備える構成である。この第２反転装置４００の各部はバス４６０を介して接続される。
【００８１】
ＣＰＵ４５１は、第２反転装置４００の各部を統括制御する。ＣＰＵ４５１は、ＲＯＭ４５３に記憶されている各種プログラムデータの中から指定されたプログラムデータをＲＡＭ４５２に展開し、当該ＲＡＭ４５２に展開されたプログラムデータとの協働で、各種処理を実行する。
【００８２】
具体的には、ＣＰＵ４５１は、画像形成装置本体１００からの制御信号に基づいて、第１後処理装置３００から搬送された用紙を第２後処理装置５００へ搬送する際の制御を行う。また、ＣＰＵ４５１は、この用紙を第２後処理装置５００へ搬送する際に、画像形成装置本体１００からの制御信号に基づいて用紙の反転を制御する。
【００８３】
また、ＣＰＵ４５１は、画像形成装置本体１００からの制御信号に基づいて、ＲＯＭ４５３に予め格納されている第２反転装置４００に係る情報を読み出して画像形成装置本体１００へ送信する。この第２反転装置４００に係る情報とは、反転部４２０における反転ストッパの有無などの自装置固有の設定情報や、画像形成システム１における第２反転装置４００の設置位置（画像形成装置本体１００から何台目に設置される）などの位置情報である。
【００８４】
搬送部４１０は、前述した搬送路Ｒ４０１であり、ＣＰＵ４５１の制御の下、第１後処理装置３００から搬送された用紙を第２後処理装置５００へ搬送する。反転部４２０は、前述した搬送路Ｒ４０２であり、ＣＰＵ４５１の制御の下、第１後処理装置３００から搬送された用紙を反転して第２後処理装置５００へ搬送する。排紙部４３０は、前述した第２後処理装置５００へ用紙を排出する搬送ローラ４０３であり、ＣＰＵ４５１の制御の下、第２後処理装置５００へ用紙を排出する。
【００８５】
第２後処理装置５００は、ＣＰＵ５５１、ＲＡＭ５５２、ＲＯＭ５５３、搬送部５１０、後処理部５２０、排紙部５３０、通信部５８０を備える構成である。この第２後処理装置５００の各部はバス５６０を介して接続される。
【００８６】
ＣＰＵ５５１は、第２後処理装置５００の各部を統括制御する。ＣＰＵ５５１は、ＲＯＭ５５３に記憶されている各種プログラムデータの中から指定されたプログラムデータをＲＡＭ５５２に展開し、当該ＲＡＭ５５２に展開されたプログラムデータとの協働で、各種処理を実行する。
【００８７】
具体的には、ＣＰＵ５５１は、画像形成装置本体１００からの制御信号に基づいて、第１後処理装置３００を経由し、第２反転装置４００から搬送された用紙への後処理を制御する。また、ＣＰＵ５５１は、画像形成装置本体１００からの制御信号に基づいて、ＲＯＭ５５３に予め格納されている第２後処理装置５００に係る情報を読み出して画像形成装置本体１００へ送信する。
【００８８】
この第２後処理装置５００に係る情報とは、後処理部５２０において実行可能な後処理の種別（ステイプル、パンチ穴開け…）や用紙に対する後処理の実行位置（搬送方向先端側／後端側）などの自装置固有の設定情報や、画像形成システム１における第２後処理装置５００の設置位置（画像形成装置本体１００から何台目に設置される）などの位置情報である。なお、本実施の形態では、第２後処理装置５００は搬送方向後端側に後処理を施すものとして説明する。
【００８９】
搬送部５１０は、前述した搬送路Ｒ５０１、Ｒ５０２、Ｒ５０３、Ｒ５０４であり、ＣＰＵ５５１の制御の下、用紙を搬送する。排紙部５３０は、前述したメイントレイ５３１やサブトレイ５３２であり、ＣＰＵ５５１の制御の下、機外へ排出された用紙を集積する。
【００９０】
次に、ＣＰＵ１１０の制御のもとで実行される処理であり、画像形成システム１における用紙の反転制御に係る処理について詳細に説明する。
【００９１】
図３に示すように、表示／操作部１５０の指示に基づいて画像形成部１３０により用紙に画像形成され、処理が開始されると、その指示に基づいて画像形成が行われた用紙が非Ｔａｂ紙（前述したタブが付いていない用紙）であるか否かが判定される（ステップＳ１１）。
【００９２】
ステップＳ１１において非Ｔａｂ紙であると判定された場合（ＹＥＳ）は、表示／操作部１５０の指示において第１後処理装置３００で実施すべき第１の後処理、第２後処理装置５００で実施すべき第２の後処理が選択されたか否かが判定される（ステップＳ１２〜Ｓ１４）。このステップＳ１２〜Ｓ１４の判定では、第１後処理装置３００、第２後処理装置５００の設定情報が読み出され、それら設定情報と、表示／操作部１５０で選択指示された後処理の種別（ステイプル、パンチ穴開け等）と、が比較されることで、第１の後処理、第２の後処理の選択の有無が判定される。
【００９３】
このステップＳ１２〜Ｓ１４の判定において、第１、第２の後処理がともに選択されたと判定された場合（ステップＳ１２：ＹＥＳ、ステップＳ１３：ＹＥＳ）は、図４に示すように、表示／操作部１５０の指示が両面印刷（用紙の両面にわたる画像形成）であるか否かが判定される（ステップＳ２１）。
【００９４】
なお、このステップＳ２１の判定において、両面印刷であると判定された場合は（ステップＳ２１：ＹＥＳ）、画像形成部１３０における用紙への印刷順序（用紙へ画像形成を行った順序）が表面の画像形成に次いで裏面の画像形成の順で行われたか否かが判定される（ステップＳ２３）。
【００９５】
上述したステップＳ２１、Ｓ２２の判定により、両面印刷であり、印刷順序が表面から裏面の順と判定された場合（ステップＳ２１：ＹＥＳ、ステップＳ２２：ＹＥＳ）は、第１後処理装置３００において用紙の搬送方向先端側に後処理を行い、次いで、第２後処理装置５００において用紙の搬送方向後端側に後処理を行うため、第１反転装置２００、第２反転装置４００で反転を行うための反転ありの制御信号が各反転装置に対して出力される（ステップＳ２３）。
【００９６】
図１０に示すように、ステップＳ２３に至るケースａでは、用紙が非Ｔａｂ紙であり、両面印刷の最終印刷面が裏面である。このケースａにおいて、画像形成装置本体１００から排出される用紙の表は裏面として画像形成された面である。
【００９７】
よって、ケースａでは、画像形成装置本体１００から排出される用紙に対し、第１反転装置２００でその用紙を反転することで、第１後処理装置３００においてその用紙の搬送方向先端側に第１の後処理（例えばパンチ穴開け）を行うことができる。
【００９８】
また、このケースａにおいて、第１後処理装置３００から排出される用紙の表は表面として画像形成された面である。よって、ケースａでは、第１後処理装置３００から排出される用紙に対し、第２反転装置４００でその用紙を反転することで、第２後処理装置５００においてその用紙の搬送方向後端側に第２の後処理（例えばステイプル）を行うことができる。
【００９９】
なお、この第２反転装置４００では、反転ストッパ４２１により複数枚（例えば２枚）の用紙束に対して反転が行われてもよい。この場合は、第２後処理装置５００においてその用紙束に第２の後処理を行うことができる。
【０１００】
図４に示すように、前述したステップＳ２１、Ｓ２２の判定により、両面印刷でない、又は、両面印刷であるが印刷順序が表面から裏面の順ではないと判定された場合（ステップＳ２１：ＮＯ／ステップＳ２１：ＹＥＳ、ステップＳ２２：ＮＯ）は、第１後処理装置３００において用紙の搬送方向先端側に後処理を行い、次いで、第２後処理装置５００において用紙の搬送方向後端側に後処理を行うため、第１反転装置２００に反転なし、第２反転装置４００に反転ありの制御信号が出力される（ステップＳ２４）。
【０１０１】
図１１に示すように、ステップＳ２４に至るケースｂでは、用紙が非Ｔａｂ紙であり、印刷最終面が表面である。このケースｂにおいて、画像形成装置本体１００から排出される用紙の表は表面として画像形成された面である。
【０１０２】
よって、ケースｂでは、画像形成装置本体１００から排出される用紙に対し、第１反転装置２００で反転せずに搬送することで、第１後処理装置３００においてその用紙の搬送方向先端側に第１の後処理を行うことができる。
【０１０３】
また、このケースｂにおいて、第１後処理装置３００から排出される用紙の表は表面として画像形成された面である。よって、ケースｂでは、第１後処理装置３００から排出される用紙に対し、第２反転装置４００でその用紙を反転することで、第２後処理装置５００においてその用紙の搬送方向後端側に第２の後処理を行うことができる。
【０１０４】
なお、この第２反転装置４００では、反転ストッパ４２１により複数枚（例えば２枚）の用紙束に対して反転が行われてもよい。この場合は、第２後処理装置５００においてその用紙束に第２の後処理を行うことができる。
【０１０５】
図３、５に示すように、ステップＳ１２〜Ｓ１４の判定において、第１の後処理が選択され、第２の後処理が選択されていないと判定された場合（ステップＳ１２：ＹＥＳ、ステップＳ１３：ＮＯ）は、表示／操作部１５０の指示が両面印刷であるか否かの判定（ステップＳ３１）、画像形成部１３０における用紙への印刷順序が表面から裏面の順であるか否かの判定（ステップＳ３２）、機外へ排出する際の排紙面はフェイスダウンであるか否かの判定（ステップＳ３３、Ｓ３６）が行われる。
【０１０６】
上述したステップＳ３１、Ｓ３２、Ｓ３３の判定において、両面印刷、印刷順序が表面から裏面の順、排紙面がフェイスダウンであると判定された場合（ステップＳ３１：ＹＥＳ、ステップＳ３２：ＹＥＳ、ステップＳ３３：ＹＥＳ）は、第１後処理装置３００において用紙の搬送方向先端側に後処理を行い、次いで、第２後処理装置５００において後処理を行うことなくフェイスダウンでトレイに用紙を排出するため、第１反転装置２００、第２反転装置４００に反転ありの制御信号が出力される（ステップＳ３４）。
【０１０７】
図１２に示すように、ステップＳ３４に至るケースｃでは、用紙が非Ｔａｂ紙であり、両面印刷の最終印刷面が裏面である。このケースｃにおいて、画像形成装置本体１００から排出される用紙の表は裏面として画像形成された面である。
【０１０８】
よって、ケースｃでは、画像形成装置本体１００から排出される用紙に対し、第１反転装置２００でその用紙を反転することで、第１後処理装置３００においてその用紙の搬送方向先端側に第１の後処理を行うことができる。
【０１０９】
また、このケースｃにおいて、第１後処理装置３００から排出される用紙の表は表面として画像形成された面である。よって、ケースｃでは、第１後処理装置３００から排出される用紙に対し、第２反転装置４００でその用紙を反転することで、第２後処理装置５００においてフェイスダウンでその用紙をトレイに排出することができる。
【０１１０】
なお、この第２反転装置４００では、反転ストッパ４２１により複数枚（例えば２枚）の用紙束に対して反転が行われてもよい。この場合は、第２後処理装置５００においてその用紙束をフェイスダウンでトレイに排出することができる。
【０１１１】
図５に示すように、前述したステップＳ３１、Ｓ３２、Ｓ３３の判定により、両面印刷、印刷順序が表面から裏面の順、排紙面がフェイスダウンでなくフェイスアップであると判定された場合（ステップＳ３１：ＹＥＳ、ステップＳ３２：ＹＥＳ、ステップＳ３３：ＮＯ）は、第１後処理装置３００において用紙の搬送方向先端側に後処理を行い、次いで、第２後処理装置５００において後処理を行うことなくフェイスアップでトレイに用紙を排出するため、第１反転装置２００に反転あり、第２反転装置４００に反転なしの制御信号が出力される（ステップＳ３５）。
【０１１２】
図１３に示すように、ステップＳ３５に至るケースｄでは、用紙が非Ｔａｂ紙であり、両面印刷の最終面が裏面である。このケースｄにおいて、画像形成装置本体１００から排出される用紙の表は裏面として画像形成された面である。
【０１１３】
よって、ケースｄでは、画像形成装置本体１００から排出される用紙に対し、第１反転装置２００でその用紙を反転することで、第１後処理装置３００においてその用紙の搬送方向先端側に第１の後処理を行うことができる。
【０１１４】
また、このケースｄにおいて、第１後処理装置３００から排出される用紙の表は表面として画像形成された面である。よって、ケースｄでは、第１後処理装置３００から排出される用紙に対し、第２反転装置４００で反転せずに搬送することで、第２後処理装置５００においてフェイスアップでその用紙をトレイに排出することができる。
【０１１５】
図５に示すように、前述したステップＳ３１、Ｓ３２、Ｓ３６の判定において、両面印刷でなく排紙面がフェイスダウンである場合（ステップＳ３１：ＮＯ、ステップＳ３６：ＹＥＳ）、又は、両面印刷であるが印刷順序が表面から裏面でなく排紙面がフェイスダウンである場合（ステップＳ３１：ＹＥＳ、ステップＳ３２：ＮＯ、ステップＳ３６：ＹＥＳ）は、第１後処理装置３００において用紙の搬送方向先端側に後処理を行い、次いで、第２後処理装置５００において後処理を行うことなくフェイスダウンでトレイに用紙を排出するため、第１反転装置２００に反転なし、第２反転装置４００に反転ありの制御信号が出力される（ステップＳ３７）。
【０１１６】
図１４に示すように、ステップＳ３７に至るケースｅでは、用紙が非Ｔａｂ紙であり、印刷最終面が表面である。このケースｅにおいて、画像形成装置本体１００から排出される用紙の面は表面として画像形成された面である。
【０１１７】
よって、ケースｅでは、画像形成装置本体１００から排出される用紙に対し、第１反転装置２００で反転せずに搬送することで、第１後処理装置３００においてその用紙の搬送方向先端側に第１の後処理を行うことができる。
【０１１８】
また、このケースｅにおいて、第１後処理装置３００から排出される用紙の表は表面として画像形成された面である。よって、ケースｅでは、第１後処理装置３００から排出される用紙に対し、第２反転装置４００でその用紙を反転することで、第２後処理装置５００においてフェイスダウンでその用紙をトレイに排出することができる。
【０１１９】
なお、この第２反転装置４００では、反転ストッパ４２１により複数枚（例えば２枚）の用紙束に対して反転が行われてもよい。この場合は、第２後処理装置５００においてその用紙束をフェイスダウンでトレイに排出することができる。
【０１２０】
図５に示すように、前述したステップＳ３１、Ｓ３２、Ｓ３６の判定において、両面印刷でなく排紙面がフェイスアップである場合（ステップＳ３１：ＮＯ、ステップＳ３６：ＮＯ）、又は、両面印刷であるが印刷順序が表面から裏面でなく排紙面がフェイスアップである場合（ステップＳ３１：ＹＥＳ、ステップＳ３２：ＮＯ、ステップＳ３６：ＮＯ）は、第１後処理装置３００において用紙の搬送方向先端側に後処理を行い、次いで、第２後処理装置５００において後処理を行うことなくフェイスアップでトレイに用紙を排出するため、第１反転装置２００、第２反転装置４００に反転なしの制御信号が出力される（ステップＳ３８）。
【０１２１】
図１５に示すように、ステップＳ３８に至るケースｆでは、用紙が非Ｔａｂ紙であり、印刷最終面が表面である。このケースｆにおいて、画像形成装置本体１００から排出される用紙の面は表面として画像形成された面である。
【０１２２】
よって、ケースｆでは、画像形成装置本体１００から排出される用紙に対し、第１反転装置２００では反転せずに搬送することで、第１後処理装置３００においてその用紙の搬送方向先端側に第１の後処理を行うことができる。
【０１２３】
また、このケースｆにおいて、第１後処理装置３００から排出される用紙の表は表面として画像形成された面である。よって、ケースｆでは、第１後処理装置３００から排出される用紙に対し、第２反転装置４００では反転せずに搬送することで、第２後処理装置５００においてフェイスアップでその用紙をトレイに排出することができる。
【０１２４】
図３、６に示すように、ステップＳ１２〜Ｓ１４の判定において、第１の後処理が選択されず、第２の後処理が選択されたと判定された場合（ステップＳ１２：ＮＯ、ステップＳ１４：ＹＥＳ）は、表示／操作部１５０の指示が両面印刷であるか否かの判定（ステップＳ４１）、画像形成部１３０における用紙への印刷順序が表面から裏面の順であるか否かの判定（ステップＳ４２）が行われる。
【０１２５】
上述したステップＳ４１、Ｓ４２の判定において、両面印刷であり、印刷順序が表面から裏面の順である場合（ステップＳ４１：ＹＥＳ、ステップＳ４２：ＹＥＳ）は、第１後処理装置３００において後処理が行われず、次いで、第２後処理装置５００において用紙の搬送方向後端側に後処理を行うため、第１反転装置２００、４００に反転ありの制御信号が出力される（ステップＳ４３）。
【０１２６】
図１６に示すように、ステップＳ４３に至るケースｇでは、用紙が非Ｔａｂ紙であり、両面印刷の最終印刷面が裏面である。このケースｇにおいて、画像形成装置本体１００から排出される用紙の表は裏面として画像形成された面である。
【０１２７】
よって、ケースｇでは、画像形成装置本体１００から排出される用紙に対し、第１反転装置２００、第２反転装置４００で順次その用紙を反転することで、第２後処理装置５００においてその用紙の搬送方向後端側に第２の後処理を行うことができる。
【０１２８】
また、ケースｇでは、第１反転装置２００により用紙を反転することで、搬送される用紙の表は表面として画像形成された面となるため、第２反転装置４００において複数枚の用紙束に対する反転を行った場合でも逆順となることがない。よって、第２後処理装置５００では、画像形成順に束ねた用紙束に対して第２の後処理を行うことができる。
【０１２９】
図６に示すように、前述したステップＳ４１、Ｓ４２の判定において、両面印刷でない場合（ステップＳ４１：ＮＯ）、又は、両面印刷であるが印刷順序が表面から裏面の順ではない場合（ステップＳ４１：ＹＥＳ、ステップＳ４２：ＮＯ）は、第１後処理装置３００において後処理が行われず、次いで、第２後処理装置５００において用紙の搬送方向後端側に後処理を行うため、第１反転装置２００に反転なし、第２反転装置４００に反転ありの制御信号が出力される（ステップＳ４４）。
【０１３０】
図１７に示すように、ステップＳ４４に至るケースｈでは、用紙が非Ｔａｂ紙であり、最終印刷面が表面である。このケースｈにおいて、画像形成装置本体１００から排出される用紙の表は表面として画像形成された面である。
【０１３１】
よって、ケースｈでは、画像形成装置本体１００から排出される用紙に対し、第１反転装置２００で反転を行わず、第２反転装置４００で反転することで、第２後処理装置５００においてその用紙の搬送方向後端側に第２の後処理を行うことができる。
【０１３２】
また、ケースｈでは、第１反転装置２００で反転を行わず、第２反転装置４００で反転を行うため、画像形成装置本体１００による画像形成順で束ねられた複数枚の用紙束を反転することができる。よって、第２後処理装置５００では、この画像形成順に束ねられた用紙束に対して第２の後処理を行うことができる。
【０１３３】
図３、７に示すように、ステップＳ１２〜Ｓ１４の判定において、第１、第２の後処理が選択されていないと判定された場合（ステップＳ１２：ＮＯ、ステップＳ１４：ＮＯ）は、表示／操作部１５０の指示が両面印刷であるか否かの判定（ステップＳ５１）、画像形成部１３０における用紙への印刷順序が表面から裏面の順であるか否かの判定（ステップＳ５２）、機外へ排出する際の排紙面はフェイスダウンであるか否かの判定（ステップＳ５３、Ｓ５６）が行われる。
【０１３４】
上述したステップＳ５１、Ｓ５２、Ｓ５３の判定において、両面印刷、印刷順序が表面から裏面の順、排紙面がフェイスダウンであると判定された場合（ステップＳ５１：ＹＥＳ、ステップＳ５２：ＹＥＳ、ステップＳ５３：ＹＥＳ）は、第１後処理装置３００、第２後処理装置５００において後処理を行うことなくフェイスダウンで用紙をトレイに排出するため、第１反転装置２００、第２反転装置４００に反転ありの制御信号が出力される（ステップＳ５４）。
【０１３５】
図１８に示すように、ステップＳ５４に至るケースｉでは、用紙が非Ｔａｂ紙であり、両面印刷の最終印刷面が裏面である。このケースｉにおいて、画像形成装置本体１００から排出される用紙の表は裏面として画像形成された面である。
【０１３６】
よって、ケースｉでは、画像形成装置本体１００から排出される用紙に対し、第１反転装置２００、第２反転装置４００で順次その用紙を反転することで、第１、第２の後処理を行うことなく第２後処理装置５００においてフェイスダウンで用紙をトレイに排出することができる。
【０１３７】
また、ケースｉでは、第１反転装置２００により用紙を反転することで、搬送される用紙の表は表面として画像形成された面となるため、第２反転装置４００において複数枚の用紙束に対する反転を行った場合でも用紙の重ね順が逆順となることがない。よって、第２後処理装置５００では、画像形成順に束ねた用紙束としてフェイスダウンでトレイに排出することができる。
【０１３８】
図７に示すように、前述したステップＳ５１、Ｓ５２、Ｓ５３の判定において、両面印刷、印刷順が表面から裏面の順、排紙面がフェイスアップであると判定された場合（ステップＳ５１：ＹＥＳ、ステップＳ５２：ＹＥＳ、ステップＳ５３：ＮＯ）は、第１後処理装置３００、第２後処理装置５００において後処理を行うことなくフェイスアップで用紙をトレイに排出するため、第１反転装置２００に反転なし、第２反転装置４００に反転ありの制御信号が出力される（ステップＳ５５）。
【０１３９】
図１９に示すように、ステップＳ５５に至るケースｊでは、用紙が非Ｔａｂ紙であり、両面印刷の最終印刷面が裏面である。このケースｊにおいて、画像形成装置本体１００から排出される用紙の表は裏面として画像形成された面である。
【０１４０】
よって、ケースｊでは、画像形成装置本体１００から排出される用紙に対し、第１反転装置２００で反転を行わず、第２反転装置４００で反転することで、第１、第２の後処理を行うことなく第２後処理装置５００においてフェイスアップで用紙をトレイに排出することができる。
【０１４１】
また、ケースｊでは、第１反転装置２００で反転を行わず、第２反転装置４００で反転を行うため、画像形成装置本体１００による画像形成順で束ねられた複数枚の用紙束を反転することができる。よって、第２後処理装置５００では、この画像形成順に束ねた用紙束としてフェイスアップでトレイに排出することができる。
【０１４２】
図７に示すように、前述したステップＳ５１、Ｓ５２、Ｓ５６の判定において、両面印刷でなく排紙面がフェイスダウンである場合（ステップＳ５１：ＮＯ、ステップＳ３６：ＹＥＳ）、又は、両面印刷であるが印刷順序が表面から裏面でなく排紙面がフェイスダウンである場合（ステップＳ５１：ＹＥＳ、ステップＳ５２：ＮＯ、ステップＳ５６：ＹＥＳ）は、第１後処理装置３００、第２後処理装置５００において後処理を行うことなくフェイスダウンで用紙をトレイに排出するため、第１反転装置２００に反転なし、第２反転装置４００に反転ありの制御信号が出力される（ステップＳ５７）。
【０１４３】
図２０に示すように、ステップＳ５７に至るケースｋでは、用紙が非Ｔａｂ紙であり、印刷最終面が表面である。このケースｋにおいて、画像形成装置本体１００から排出される用紙の面は表面として画像形成された面である。
【０１４４】
よって、ケースｋでは、画像形成装置本体１００から排出される用紙に対し、第１反転装置２００で反転を行わず、第２反転装置４００で反転することで、第１、第２の後処理を行うことなく第２後処理装置５００においてフェイスダウンで用紙をトレイに排出することができる。
【０１４５】
また、ケースｋでは、第１反転装置２００で反転を行わず、第２反転装置４００で反転を行うため、画像形成装置本体１００による画像形成順で束ねられた複数枚の用紙束を反転することができる。よって、第２後処理装置５００では、この画像形成順に束ねた用紙束としてフェイスダウンでトレイに排出することができる。
【０１４６】
図７に示すように、前述したステップＳ５１、Ｓ５２、Ｓ５６の判定において、両面印刷でなく排紙面がフェイスアップである場合（ステップＳ５１：ＮＯ、ステップＳ５６：ＮＯ）、又は、両面印刷であるが印刷順序が表面から裏面でなく排紙面がフェイスアップである場合（ステップＳ５１：ＹＥＳ、ステップＳ５２：ＮＯ、ステップＳ５６：ＮＯ）は、第１後処理装置３００、第２後処理装置５００において後処理を行うことなくフェイスアップで用紙をトレイに排出するため、第１反転装置２００、第２反転装置４００に反転ありの制御信号が出力される（ステップＳ５８）。
【０１４７】
図２１に示すように、ステップＳ５８に至るケースｌでは、用紙が非Ｔａｂ紙であり、印刷最終面が表面である。このケースｌにおいて、画像形成装置本体１００から排出される用紙の面は表面として画像形成された面である。
【０１４８】
よって、ケースｌでは、画像形成装置本体１００から排出される用紙に対し、第１反転装置２００、第２反転装置４００で順次その用紙を反転することで、第１、第２の後処理を行うことなく第２後処理装置５００においてフェイスアップで用紙をトレイに排出することができる。
【０１４９】
また、ケースｌでは、第１反転装置２００により用紙を反転することで、搬送される用紙の表は表面として画像形成された面となるため、第２反転装置４００において複数枚の用紙束に対する反転を行った場合でも用紙の重ね順が逆順となることがない。よって、第２後処理装置５００では、画像形成順に束ねた用紙束としてフェイスダウンでトレイに排出することができる。
【０１５０】
図３、８、９に示すように、ステップＳ１１においてＴａｂ紙であると判定された場合（ＮＯ）は、表示／操作部１５０の指示が両面印刷であるか否かの判定（ステップＳ６１）、画像形成部１３０における用紙への印刷順序が表面から裏面の順であるか否かの判定（ステップＳ６２）、機外へ排出する際の排紙面はフェイスダウンであるか否かの判定（ステップＳ６３、Ｓ７０）が行われる。
【０１５１】
なお、ステップＳ６１、Ｓ６２、Ｓ６３の判定において、両面印刷、印刷順序が表面から裏面の順、排紙面がフェイスアップである場合（ステップＳ６１：ＹＥＳ、ステップＳ６２：ＹＥＳ、ステップＳ６３：ＮＯ）は、各反転装置において用紙のタブによる反転ストッパへの先端突き当てがあるか否か、すなわち、各反転装置の設定情報に基づいて反転ストッパが設けられているか否かの判定が行われる（ステップＳ６５、Ｓ６７）。
【０１５２】
上述したステップＳ６１、Ｓ６２、Ｓ６３の判定において、両面印刷、印刷順序が表面から裏面の順、排紙面がフェイスダウンであると判定された場合（ステップＳ６１：ＹＥＳ、ステップＳ６２：ＹＥＳ、ステップＳ６３：ＹＥＳ）は、第２後処理装置５００においてフェイスダウンでトレイにＴａｂ紙を排出するため、第１反転装置２００、第２反転装置４００に反転なしの制御信号が出力される（ステップＳ６４）。
【０１５３】
図２２に示すように、ステップＳ６４に至るケースｍでは、用紙がＴａｂ紙であり、両面印刷の最終印刷面が裏面である。このケースｍにおいて、画像形成装置本体１００から排出される用紙の表は裏面として画像形成された面である。
【０１５４】
よって、ケースｍでは、画像形成装置本体１００から排出される用紙に対し、第１反転装置２００、第２反転装置４００では反転せずに搬送することで、第２後処理装置５００においてフェイスダウンでトレイに用紙を排出することができる。
【０１５５】
また、このケースｍにおいて、画像形成装置本体１００から排出される用紙はＴａｂ紙である。この用紙のタブは、各反転装置の反転機構において、タブ先端部が反転ストッパに突き当たる場合がある。しかしながら、ケースｍでは、搬送される用紙が反転されることがないため、タブ先端部が突き当たるなどの搬送不良が発生する虞がない。
【０１５６】
図８に示すように、前述したステップＳ６１、Ｓ６２、Ｓ６３、Ｓ６５の判定において、両面印刷、印刷順序が表面から裏面の順、排紙面がフェイスアップ、第１反転装置２００におけるタブの先端突き当てなしと判定された場合（ステップＳ６１：ＹＥＳ、ステップＳ６２：ＹＥＳ、ステップＳ６３：ＮＯ、ステップＳ６５：ＹＥＳ）は、第１反転装置２００に反転あり、第２反転装置４００に反転なしの制御信号が出力される（ステップＳ６６）。
【０１５７】
図２３に示すように、ステップＳ６６に至るケースｎでは、用紙がＴａｂ紙であり、両面印刷の最終印刷面が裏面である。このケースｎにおいて、画像形成装置本体１００から排出される用紙の表は裏面として画像形成された面である。
【０１５８】
よって、ケースｎでは、画像形成装置本体１００から排出される用紙に対し、第１反転装置２００で反転を行い、第２反転装置４００で反転を行わないことで、第２後処理装置５００においてフェイスアップでトレイに用紙を排出することができる。
【０１５９】
また、このケースｎにおいては、画像形成装置本体１００から排出される用紙はＴａｂ紙であるが、反転ストッパを備えていない第１反転装置２００において用紙が反転されるため、タブ先端部が反転ストッパに突き当たることがない。
【０１６０】
図８に示すように、前述したステップＳ６１、Ｓ６２、Ｓ６３、Ｓ６５、Ｓ６７の判定において、両面印刷、印刷順序が表面から裏面の順、排紙面がフェイスアップ、第１反転装置２００におけるタブの先端突き当てあり、第１後処理装置３００におけるタブの先端突き当てなしと判定された場合（ステップＳ６１：ＹＥＳ、ステップＳ６２：ＹＥＳ、ステップＳ６３：ＮＯ、ステップＳ６５：ＮＯ、ステップＳ６７：ＹＥＳ）は、第１反転装置２００に反転なし、第２反転装置４００に反転ありの制御信号が出力される（ステップＳ６８）。
【０１６１】
図２４に示すように、ステップＳ６８に至るケースｏでは、用紙がＴａｂ紙であり、両面印刷の最終印刷面が裏面である。このケースｏにおいて、画像形成装置本体１００から排出される用紙の表は裏面として画像形成された面である。
【０１６２】
よって、ケースｏでは、画像形成装置本体１００から排出される用紙に対し、第１反転装置２００で反転を行わず、第２反転装置４００で反転を行うことで、第２後処理装置５００においてフェイスアップでトレイに用紙を排出することができる。
【０１６３】
また、このケースｏにおいては、画像形成装置本体１００から排出される用紙はＴａｂ紙であるが、反転ストッパを備えている第１反転装置２００ではなく反転ストッパを備えていない第２反転装置４００で用紙が反転されるため、タブ先端部が反転ストッパに突き当たることがない。
【０１６４】
図８に示すように、前述したステップＳ６１、Ｓ６２、Ｓ６３、Ｓ６５、Ｓ６７の判定において、両面印刷、印刷順序が表面から裏面の順、排紙面がフェイスアップ、第１反転装置２００におけるタブの先端突き当てあり、第１後処理装置３００におけるタブの先端突き当てありと判定された場合（ステップＳ６１：ＹＥＳ、ステップＳ６２：ＹＥＳ、ステップＳ６３：ＮＯ、ステップＳ６５：ＮＯ、ステップＳ６７：ＮＯ）は、実行不能としてエラーが出力される（ステップＳ６９）。具体的には、エラー出力として、第１反転装置２００、第２反転装置４００で反転されることなく搬送され、サブトレイ３３１又はサブトレイ５３２などから用紙が排出されるように制御信号が出力される。
【０１６５】
図２５に示すように、ステップＳ６９に至るケースｐでは、用紙がＴａｂ紙であり、両面印刷の最終印刷面が裏面である。このケースｐにおいて、画像形成装置本体１００から排出される用紙の表は裏面として画像形成された面である。
【０１６６】
よって、ケースｐでは、第２後処理装置５００においてフェイスアップでトレイに用紙を排出するための反転がタブの先端突き当てがある第１反転装置２００、第２反転装置４００では行われず、エラーとしてサブトレイに用紙を排出する。ケースｐでは、タブの先端突き当てがある第１反転装置２００、第２反転装置４００でのＴａｂ紙の反転が行われないため、タブ先端が反転ストッパに突き当たることによる搬送不良を未然に防ぐことができる。
【０１６７】
図８、９に示すように、前述したステップＳ６１、Ｓ６２、Ｓ７０の判定において、両面印刷でなく排紙面がフェイスダウンである場合（ステップＳ６１：ＮＯ、ステップＳ７０：ＹＥＳ）、又は、両面印刷であるが印刷順序が表面から裏面でなく排紙面がフェイスダウンである場合（ステップＳ６１：ＹＥＳ、ステップＳ６２：ＮＯ、ステップＳ７０：ＹＥＳ）は、第１反転装置２００に反転なし、第２反転装置４００に反転ありの制御信号、又は、第１反転装置２００に反転あり、第２反転装置４００に反転なしの制御信号が出力される（ステップＳ７１）。
【０１６８】
図２６、図２７に示すように、ステップＳ７１に至るケースｑでは、用紙がＴａｂ紙であり、最終印刷面が表面である。このケースｑにおいて、画像形成装置本体１００から排出される用紙の表は表面として画像形成された面である。
【０１６９】
よって、ケースｑでは、用紙の反転が第１反転装置２００又は第２反転装置４００のいずれかで行われることで、第２後処理装置５００においてフェイスダウンでトレイに用紙を排出することができる。
【０１７０】
図８、９に示すように、前述したステップＳ６１、Ｓ６２、Ｓ７０の判定において、両面印刷でなく排紙面がフェイスアップである場合（ステップＳ６１：ＮＯ、ステップＳ７０：ＮＯ）、又は、両面印刷であるが印刷順序が表面から裏面でなく排紙面がフェイスアップである場合（ステップＳ６１：ＹＥＳ、ステップＳ６２：ＮＯ、ステップＳ７０：ＮＯ）は、第１反転装置２００、第２反転装置４００に反転なしの制御信号が出力される（ステップＳ７２）。
【０１７１】
図２８に示すように、ステップＳ７２に至るケースｒでは、用紙がＴａｂ紙であり、最終印刷面が表面である。このケースｒにおいて、画像形成装置本体１００から排出される用紙の表は表面として画像形成された面である。
【０１７２】
よって、ケースｒでは、画像形成装置本体１００から排出される用紙に対し、第１反転装置２００、第２反転装置４００では反転せずに搬送することで、第２後処理装置５００においてフェイスアップでトレイに用紙を排出することができる。
【０１７３】
以上のように、画像形成システム１は、画像形成に係る指示を行う指示部（表示／操作部１５０）と、その指示部による指示に基づいて用紙に画像形成する画像形成部（画像形成部１３０）と、その画像形成部による画像形成後の用紙に指示部による指示に基づいて第１の後処理を行う第１後処理装置（第１後処理装置３００）と、その第１後処理装置を経由した用紙に指示部による指示に基づいた第２の後処理を行う第２後処理装置（第２後処理装置５００）と、画像形成部から第１後処理装置へ用紙を搬送し、当該搬送する用紙の表裏反転を行う反転機構を有する第１反転装置（第１反転装置２００）と、第１後処理装置から第２後処理装置へ用紙を搬送し、当該搬送する用紙の表裏反転を行う反転機構を有する第２反転装置（第２反転装置４００）と、指示部による指示内容に基づいて、第１反転装置及び第２反転装置における用紙の表裏反転を制御する制御部（ＣＰＵ１１０）と、を有する。
【０１７４】
このため、画像形成システム１は、指示部による画像形成に係る指示に基づいて、第１後処理装置へ用紙を搬送する際の当該用紙の表裏反転を行う第１反転装置、及び、第２後処理装置へ用紙を搬送する際の当該用紙の表裏反転を行う第２反転装置における用紙の表裏反転を制御することができる。よって、画像形成システム１は、画像形成された用紙に対して同時に第１、第２後処理装置による後処理を行うことができる。これにより、画像形成システム１は、複数の後処理を行う場合であっても、ユーザの作業負担を軽減し、作業効率を向上させることが可能である。
【０１７５】
また、画像形成システム１の第１後処理装置は画像形成後の用紙の搬送方向先端側に第１の後処理を行い、且つ、第２後処理装置は用紙の搬送方向後端側に第２の後処理を行う。
【０１７６】
また、画像形成システム１の第１後処理装置は画像形成後の用紙の搬送方向後端側に第１の後処理を行い、且つ、第２後処理装置は用紙の搬送方向先端側に第２の後処理を行う。
【０１７７】
このため、画像形成システム１は、第１後処理装置と第２後処理装置とで、用紙に対して搬送方向の先端側の逆側に各々後処理を行う構成であっても、最終排出物としての用紙における同一の端部側に第１と第２の後処理を行うことができる。
【０１７８】
また、画像形成システム１の指示部は第１後処理装置及び／又は第２後処理装置で実行すべき後処理の種別（ステイプル、パンチ穴など）を指示し、画像形成システム１の制御部は指示部により指示された後処理の種別に基づいて第１反転装置及び／又は第２反転装置における用紙の反転を制御する。
【０１７９】
このため、画像形成システム１は、指示部により指示された後処理の種別に基づいて第１反転装置及び／又は第２反転装置における用紙の反転を制御することができる。画像形成システム１は、指示された後処理の種別に応じた用紙反転が行われるため、第１の後処理のみ行う場合、第２の後処理のみ行う場合、第１、第２の後処理を行う場合を使い分けることができる。
【０１８０】
また、画像形成システム１の指示部は画像形成部における用紙の両面又は片面への画像形成を指示し、画像形成システム１の制御部は指示部により指示された両面又は片面への画像形成指示に基づいて第１反転装置及び／又は第２反転装置における用紙の反転を制御する。
【０１８１】
このため、画像形成システム１は、指示部により指示された両面又は片面への画像形成指示に基づいて第１反転装置及び／又は第２反転装置における用紙の反転を制御することができる。画像形成システム１は、両面又は片面への画像形成指示に応じた用紙反転が行われるため、両面又は片面へ画像形成された用紙に対して同時に第１、第２後処理装置による後処理を行うことができる。
【０１８２】
また、画像形成システム１の制御部は、指示部により用紙の両面に画像形成する場合、当該用紙の表裏面への画像形成順に基づいて第１反転装置及び／又は第２反転装置における用紙の反転を制御する。
【０１８３】
このため、画像形成システム１は、指示部により用紙の両面に画像形成する場合、当該用紙の表裏面への画像形成順に基づいて第１反転装置及び／又は第２反転装置における用紙の反転を制御することができる。画像形成システム１は、両面に画像形成する際の画像形成順に応じて用紙反転が行われるため、いずれの画像形成順で画像形成が行われた用紙であっても、同時に第１、第２後処理装置による後処理を行うことができる。
【０１８４】
また、画像形成システム１の指示部は、機外へ用紙を排出する際の排紙面を指示し、画像形成システム１の制御部は、指示部により指示された排紙面に基づいて第１反転装置及び／又は第２反転装置における用紙の反転を制御する。
【０１８５】
このため、画像形成システム１は、指示部により指示された機外へ用紙を排出する際の排紙面に基づいて第１反転装置及び／又は第２反転装置における用紙の反転を制御することができる。画像形成システム１は、指示された排紙面に応じて用紙反転が行われるため、その指示された排紙面で用紙を排出することができる。
【０１８６】
また、画像形成システム１の指示部は画像形成すべき用紙の種別を指示し、画像形成システム１の画像形成部は指示部により指示された種別の用紙へ画像形成し、画像形成システム１の制御部は指示部により指示された用紙の種別に基づいて第１反転装置及び／又は第２反転装置における用紙の反転を制御する。このため、画像形成システム１は、指示部により指示された用紙の種別に基づいて第１反転装置及び／又は第２反転装置における用紙の反転を制御することができる。
【０１８７】
また、画像形成システム１の指示部は用紙の種別としてタブの有無を指示し、画像形成システム１の制御部は指示部により指示されたタブの有無に基づいて第１反転装置及び／又は第２反転装置における用紙の反転を制御する。
【０１８８】
このため、画像形成システム１は、指示部により指示された用紙におけるタブの有無に基づいて第１反転装置及び／又は第２反転装置における用紙の反転を制御することができる。画像形成システム１は、タブの有無に応じて用紙反転が行われるため、例えばタブが有ることで用紙反転時に生じる障害を未然に防ぐことができる。
【０１８９】
また、画像形成システム１の第１反転装置及び／又は第２反転装置は、複数枚の用紙を滞留させる用紙ストッパ（反転ストッパ４２１など）を有し、当該用紙ストッパにより滞留された複数枚の用紙を反転する。このため、画像形成システム１では、第１反転装置及び／又は第２反転装置において、用紙ストッパにより滞留された複数枚の用紙を反転することができる。
【０１９０】
また、画像形成システム１の制御部は、第１反転装置及び／又は第２反転装置における用紙ストッパの有無に基づいて第１反転装置及び／又は第２反転装置における用紙の反転を制御する。
【０１９１】
このため、画像形成システム１は、第１反転装置及び／又は第２反転装置における用紙ストッパの有無に基づいて第１反転装置及び／又は第２反転装置における用紙の反転を制御することができる。画像形成システム１は、第１反転装置及び／又は第２反転装置における用紙ストッパの有無に応じて用紙反転が行われるため、例えば用紙ストッパによる用紙反転時に生じる障害（タブが用紙ストッパに突き当たるなど）を未然に防ぐことができる。
【０１９２】
なお、上述した実施の形態における記述は、一例を示すものであり、これに限定するものではない。上述した実施の形態における構成及び動作に関しては、適宜変更が可能である。
【０１９３】
例えば、本実施の形態において、画像形成システム１では、表示／操作部１５０からの指示に基づいた画像形成を例示したが、ＰＣ（Personal  Computer）等の他の情報機器からの指示に基づいた画像形成であってもよい。具体的には、画像形成装置本体１００の通信部１８０がインターネットやＬＡＮ（Local  Area  Network）などの通信ネットワークに接続しており、画像形成システム１は、他の情報機器からの指示に基づいて用紙に画像形成するプリンタとしての機能を有するものであってよい。
【図面の簡単な説明】
【０１９４】
【図１】本実施の形態に係る画像形成システムの構成概略図である。
【図２】画像形成システムの機能的構成を模式的に示すブロック図である。
【図３】画像形成システムにおける用紙の反転制御に係る処理を示すフローチャートである。
【図４】図３の続きを示すフローチャートである。
【図５】図３の続きを示すフローチャートである。
【図６】図３の続きを示すフローチャートである。
【図７】図３の続きを示すフローチャートである。
【図８】図３の続きを示すフローチャートである。
【図９】図８の続きを示すフローチャートである。
【図１０】画像形成システムにおける画像形成後の用紙の１つのケースを例示する概念図である。
【図１１】画像形成システムにおける画像形成後の用紙の１つのケースを例示する概念図である。
【図１２】画像形成システムにおける画像形成後の用紙の１つのケースを例示する概念図である。
【図１３】画像形成システムにおける画像形成後の用紙の１つのケースを例示する概念図である。
【図１４】画像形成システムにおける画像形成後の用紙の１つのケースを例示する概念図である。
【図１５】画像形成システムにおける画像形成後の用紙の１つのケースを例示する概念図である。
【図１６】画像形成システムにおける画像形成後の用紙の１つのケースを例示する概念図である。
【図１７】画像形成システムにおける画像形成後の用紙の１つのケースを例示する概念図である。
【図１８】画像形成システムにおける画像形成後の用紙の１つのケースを例示する概念図である。
【図１９】画像形成システムにおける画像形成後の用紙の１つのケースを例示する概念図である。
【図２０】画像形成システムにおける画像形成後の用紙の１つのケースを例示する概念図である。
【図２１】画像形成システムにおける画像形成後の用紙の１つのケースを例示する概念図である。
【図２２】画像形成システムにおける画像形成後の用紙の１つのケースを例示する概念図である。
【図２３】画像形成システムにおける画像形成後の用紙の１つのケースを例示する概念図である。
【図２４】画像形成システムにおける画像形成後の用紙の１つのケースを例示する概念図である。
【図２５】画像形成システムにおける画像形成後の用紙の１つのケースを例示する概念図である。
【図２６】画像形成システムにおける画像形成後の用紙の１つのケースを例示する概念図である。
【図２７】画像形成システムにおける画像形成後の用紙の１つのケースを例示する概念図である。
【図２８】画像形成システムにおける画像形成後の用紙の１つのケースを例示する概念図である。
【符号の説明】
【０１９５】
１  画像形成システム
１００  画像形成装置本体
１１０  ＣＰＵ
１１１  ＲＡＭ
１１２  ＲＯＭ
１２０  搬送部
１３０  画像形成部
１４０  画像読取部
１５０  表示／操作部
１８０  通信部
１９０  排紙部
２００  第１反転装置
２２０  反転部
２３０  排紙部
２５１  ＣＰＵ
２５２  ＲＡＭ
２５３  ＲＯＭ
２８０  通信部
３００  第１後処理装置
３２０  後処理部
３１０  搬送部
３３０  排紙部
３５１  ＣＰＵ
３５２  ＲＡＭ
３５３  ＲＯＭ
３８０  通信部
４００  第２反転装置
４２１  反転ストッパ
４１０  搬送部
４２０  反転部
４３０  排紙部
４５１  ＣＰＵ
４５２  ＲＡＭ
４５３  ＲＯＭ
４８０  通信部
５００  第２後処理装置
５２０  後処理部
５１０  搬送部
５３０  排紙部
５５１  ＣＰＵ
５５２  ＲＡＭ
５５３  ＲＯＭ
５６０  バス
５８０  通信部
【図１】
2009086600.tif 000003
【図２】
2009086600.tif 000004
【図３】
2009086600.tif 000005
【図４】
2009086600.tif 000006
【図５】
2009086600.tif 000007
【図６】
2009086600.tif 000008
【図７】
2009086600.tif 000009
【図８】
2009086600.tif 000010
【図９】
2009086600.tif 000011
【図１０】
2009086600.tif 000012
【図１１】
2009086600.tif 000013
【図１２】
2009086600.tif 000014
【図１３】
2009086600.tif 000015
【図１４】
2009086600.tif 000016
【図１５】
2009086600.tif 000017
【図１６】
2009086600.tif 000018
【図１７】
2009086600.tif 000019
【図１８】
2009086600.tif 000020
【図１９】
2009086600.tif 000021
【図２０】
2009086600.tif 000022
【図２１】
2009086600.tif 000023
【図２２】
2009086600.tif 000024
【図２３】
2009086600.tif 000025
【図２４】
2009086600.tif 000026
【図２５】
2009086600.tif 000027
【図２６】
2009086600.tif 000028
【図２７】
2009086600.tif 000029
【図２８】
2009086600.tif 000030